(57)【特許請求の範囲】
【請求項１】
ステアリングシャフトに支持される中空筒状のケーシングと、該ケーシング内に収納され且つ施錠位置及び解錠位置に移動可能なるキーシリンダと、前記ケーシング内に基部が収納され且つ前記ケーシングより突出して前記ステアリングシャフトに係合する施錠位置及び該係合が解除されて前記ケーシング内に没入する解錠位置に夫々移動可能なる係合部を有するロッキングロッドと、前記ロッキングロッドの基部に対向した前記ケーシングの開口を閉塞してなるキャップと、前記キーシリンダの回転に伴ってエンジンの始動及び停止を制御可能なるイグニッションスイッチとを少なくとも備えてなるステアリングロック装置であって、
前記キャップは、強磁性体よりなり、本体部と、前記ケーシングの開口の周縁を覆う縦壁状の周縁部とから形成されてなることを特徴とするステアリングロック装置。
【請求項２】
請求項１に記載のステアリングロック装置であって、
前記ケーシングには、前記キャップの周縁部の自由端を覆うカバー部が形成されてなることを特徴とするステアリングロック装置。
【請求項３】
請求項１又は請求項２に記載のステアリングロック装置であって、
前記キャップの中央部に無端的な凹凸ビードを形成してなることを特徴とするステアリングロック装置。
【発明の詳細な説明】
【０００１】
【発明の属する技術分野】
この発明は、ロック装置、特に車両のステアリングシャフトの回転を制御するステアリングロック装置に関する。
【０００２】
【従来の技術】
従来のステアリングロック装置としては、例えば、特開平９−２２８７０６号公報或いは特開平１１−３１０１０４号公報に示すように、車両のステアリング装置のステアリングシャフトへの施錠及び解錠機能と、エンジン始動及びエンジン停止機能とを少なくとも併せ持っている。即ち、前記ステアリングロック装置は、前記ステアリングシャフトに支持される中空状のケーシングと、該ケーシング内に収納され且つ適正のキーにより施錠位置及び解錠位置間で回転可能なるキーシリンダと、前記ケーシング内に収納され且つ前記ステアリングシャフトに係合する施錠位置及び該係合が解除される解錠位置に移動可能なるロッキングロッドと、前記キーシリンダの回転に伴ってエンジンの始動及び停止を制御可能なるイグニッションスイッチとより構成されてなる。
【０００３】
かかるステアリングロック装置に適合したキーを、キーシリンダーから抜くと、前記イグニッションスイッチがオフ状態になると共に前記ロッキングロッドがステアリングシャフトに係合した施錠状態となる。かかる施錠状態では、ステアリングシャフトの回転が不能である。従って、かかる施錠状態の時に、適合するキーを操作することなく、エンジンを始動させることが仮にできたとしても、ステアリングシャフトに連結したタイヤを左右に回転操作できないので、結果として、車両の盗難防止に寄与することになる。前記ロッキングロッドは、ステアリングロック装置に適合したキーをキーシリンダーに挿入して回転させると、ケーシング内に没入し、ステアリングシャフトとの係合が解除（解錠状態）され、ステアリングシャフトの回転が可能となることは、勿論である。
【０００４】
かかるケーシングにあっては、前記キーシリンダの配設される向きに直交する孔が形成されていて、該孔の一方側から前記ロッキングロッドを、必要な部品と共にケーシング内に配置した後に、前記孔の他方側からロッキングロッドを突出するように常時付勢するスプリングを収納すると共にキャップでケーシングの孔の他方側を閉じている。
【０００５】
【発明が解決しようとする課題】
しかしながら、このような従来の技術にあっては、前記ロッキングロッドそのものをステアリングシャフトから不正に抜かせないために、強力な磁石に対抗できるように非磁性体のロッキングロッドにすることが考えられるが、原価高騰の一原因になる。
【０００６】
この発明は、このような従来の技術に着目してなされたものであり、製造原価が安価であり且つ防盗性の著しく高いステアリングロック装置を提供するものである。
【０００７】
【課題を解決するための手段】
請求項１に記載の発明は、ステアリングシャフトに支持される中空筒状のケーシングと、該ケーシング内に収納され且つ施錠位置及び解錠位置に移動可能なるキーシリンダと、前記ケーシング内に基部が収納され且つ前記ケーシングより突出して前記ステアリングシャフトに係合する施錠位置及び該係合が解除されて前記ケーシング内に没入する解錠位置に夫々移動可能なる係合部を有するロッキングロッドと、前記ロッキングロッドの基部に対向した前記ケーシングの開口を閉塞してなるキャップと、前記キーシリンダの回転に伴ってエンジンの始動及び停止を制御可能なるイグニッションスイッチとを少なくとも備えてなるステアリングロック装置であって、前記キャップは、強磁性体よりなり、本体部と、前記ケーシングの開口の周縁を覆う縦壁状の周縁部とから形成されてなる。
【０００８】
請求項１に記載の発明によれば、前記キャップが、鉄、コバルト、ニッケル等の強磁性体よりなるので、製造原価が安価であるばかりか、例え強力な磁石をロッキングロッドの基部側に配することによってロッキングロッドの係合部をステアリングシャフトから離脱させようとしても、該磁石による磁界は、前記キャップの本体部向きのみではなく、周縁部の自由端向きにも分散形成されるので、ロッキングロッドを移動させる垂直磁力を弱め、係合が保持される。よって、著しい防盗性が確保される。
【０００９】
請求項２に記載の発明は、前記ケーシングには、前記キャップの周縁部の自由端を覆うカバー部が形成されてなる。
【００１０】
請求項２に記載の発明によれば、前記カバー部によって前記キャップの周縁部の自由端が覆われてなるので、該自由端に直接アタックできないため、防盗性がより向上する。
【００１１】
請求項３に記載の発明は、前記キャップの中央部に無端的な凹凸ビードを形成してなる。
【００１２】
請求項３に記載の発明によれば、前記キャップには、無端的な凹凸ビードと前記周縁部とが形成されることで、強度が著しく向上することになり、キャップを破壊しようとしても、該破壊に多大な時間を必要とすることになり、この点でも防盗性を著しく向上することになる。また、前記ロッキングロッドの係合部を常時突出する方向に付勢する付勢手段がコイル状であれば、該凹凸ビードにより、コイル状の付勢手段の位置が決まることにもなる。
【００１５】
【発明の実施の形態】
以下、この発明の好適な実施例を図面に基づいて説明する。
【００１６】
図１〜図８は、この発明の一実施形態を示す図である。符号１は、ステアリングロック装置で、ケーシング２と、キーシリンダ３と、ハウジングケース４と、ポジションキャップ５と、ロッキングロッド６と、イグニッションスイッチ７と、ローテーター８とを有する。
【００１７】
前記ケーシング２は、中空筒状の本体２１と、該本体２１の一部に形成されてなる取付部２２とが、亜鉛ダイキャストにより一体に形成されてなる。取付部２２は、図６に示すように、図示しないステアリングシャフトの中心部２３から半径１９．２ミリメートルの半円状の凹部２２ａが形成され、同じく図示しないステアリングシャフトの中心部２３から半径１９．２ミリメートルの半円状のフィクサーフレーム２４と共にボルト、ナットなどの締結具２５により図示しないステアリングシャフトに支持される。
【００１８】
前記キーシリンダ３は、図５及び図８に示すように、前記ケーシング２の空洞部２ａ内に収納されてなるハウジングケース４に対して、適合する図示しないキーを挿入することで、前記ハウジングケース４に係合している複数のタンブラ３１が引っ込み、離脱することで、施錠位置から解錠位置に回転が可能となる。
【００１９】
前記ポジションキャップ５は、前記ハウジングケース４の前側に保持されてなり、図４に示すように、ロック位置（ＬＯＣＫ）、アクセサリ位置（Ａｃｃ）、オン位置（ＯＮ）、スタート位置（ＳＴＡＲＴ）それぞれに前記キーシリンダ３が回転したことを表示するように、刻設されている。
【００２０】
前記ロッキングロッド６は、図５及び図８に示すように、前記ケーシング２内に収納されている基部６１と、前記ケーシング２より突出して前記ステアリングシャフトに係合する施錠位置（図５参照）及び該係合が解除されて前記ケーシング２内に没入する解錠位置（図８参照）に夫々移動可能なる係合部６２とが、鉄材により一体に形成されてなる。
【００２１】
前記イグニッションスイッチ７は、前記キーシリンダ３の回転に伴って、図示しないエンジンの始動及び停止を制御可能なるものである。
【００２２】
前記ケーシング２には、前記キーシリンダ３などの配される方向と直交する方向に前記ロッキングロッド６が配されていて、該ロッキングロッド６の基部６１に対向した位置の前記ケーシング２に、開口２６が形成されている。該開口２６には、キャップ９が支持されることで、該開口２６を閉塞している。前記キャップ９は、強磁性体の鉄板製の平板よりなる本体部９１と、前記ケーシング３の開口２６の周縁２６ａを覆う縦壁状の周縁部９２とから形成されてなる。前記本体部９１の中央部には、無端的な凹凸ビード９１ａを形成してなる。
【００２３】
前記ケーシング２の開口２６の周縁２６ａには、前記キャップ９の周縁部９２の自由端９２ａを覆うカバー部２６ｂが形成されてなる。
【００２４】
前記ケーシング２を車両に搭載した時に、前記キャップ９に触れにくく、ケーシング２単体では前記前記キャップ９に触れやすい位置のカバー部２６ｂに切欠部２７を形成して、「固定部」であるビス２８により、前記キャップ９の周縁部９２を支持している。
【００２５】
この発明の実施形態は、かかる構成よりなるので、前記キャップ９が鉄板製なために、製造原価が著しく安価であるばかりか、例え強力な磁石をロッキングロッド６の基部６１側に配することによってロッキングロッド６の係合部６２をステアリングシャフトから離脱させようとしても、該磁石による磁界は、前記キャップ９の本体部９１向きのみではなく、周縁部９２の自由端９２ａ向きにも分散形成されるので、ロッキングロッド６を移動させる垂直磁力を弱め、係合が保持される。よって、著しい防盗性が確保される。
【００２６】
また、前記カバー部２６ｂによって前記キャップ９の周縁部９２の自由端９２ａが覆われてなるので、該自由端９２ａに直接アタックできないため、防盗性がより向上する。
【００２７】
また、前記キャップ９には、無端的な凹凸ビード９１ａと前記周縁部９２とが形成されることで、強度が著しく向上することになり、キャップ９を破壊しようとしても、該破壊に多大な時間を必要とすることになり、この点でも防盗性を著しく向上することになる。また、前記ロッキングロッド６の係合部６２を常時突出する方向に付勢する付勢手段がコイル状であれば、該凹凸ビード９１ａが、コイル状の付勢手段の端部に嵌合されるので、コイル状の付勢手段の位置が決まることになる。
【００２８】
更に、前記ビス２８は、ケーシング２単体の時に、触れやすい位置であるので、前記キャップ９は、前記ケーシング２に取り付け易いことになる。しかも、車両搭載時には、前記ビス２８に触れにくい位置になるので、防盗性が著しく向上することになる。
【００２９】
尚、本実施形態にあっては、キャップ９を鉄板製としたが、鉄以外でも、コバルト、ニッケル等の強磁性体であれば、同様の効果が得られる。
【図面の簡単な説明】
【図１】  この発明の一実施形態に係るステアリングロック装置を示す斜視図。
【図２】  図１の上面図。
【図３】  図１中矢示ＳＡ−ＳＡ線に沿う位置よりの底面図。
【図４】  図１の矢視Ｂにかかる側面図。
【図５】  図２中矢示ＳＣ−ＳＣ線に沿う断面図。
【図６】  図３中矢示ＳＤ−ＳＤ線に沿う断面図。
【図７】  図５中矢示ＳＥ−ＳＥ線に沿う断面図。
【図８】  図５のロッキングロッドが突出した状態を示す断面図。
【符号の説明】
１  ステアリングロック装置
２  ケーシング
２６  ケーシングの開口
２６ｂ  カバー部
２８  ビス（固定部）
３  キーシリンダ
４  ハウジングケース
５  ポジションキャップ
６  ロッキングロッド
６１  ロッキングロッドの基部
６２  ロッキングロッドの係合部
７  イグニッションスイッチ
９  キャップ
９１  キャップの本体部
９１ａ    凹凸ビード
９２  キャップの周縁部
９２ａ  周縁部の自由端
【図１】
0003800919.tif 000002
【図２】
0003800919.tif 000003
【図３】
0003800919.tif 000004
【図４】
0003800919.tif 000005
【図５】
0003800919.tif 000006
【図６】
0003800919.tif 000007
【図７】
0003800919.tif 000008
【図８】
0003800919.tif 000009